(57)【要約】【課題】作業者の身体的な負担を軽減してヒンジ装置の量産性を向上させることができる構造のヒンジ組立システムを提供する。【解決手段】軸受保持部材３２２により保持された第一軸受部材２３１に圧入実行機構３３０によりヒンジ支持軸２４１が圧入されることにより、作業者が手指によりヒンジ支持軸２４１を圧入する必要がない。圧入維持治具３１０によりヒンジ支持軸２４１が第一軸受部材２３１に圧入された状態に維持されることにより、作業者が手指によりヒンジ支持軸２４１を圧入した状態のまま、第一軸受部材２３１を第二軸受部材に組み付ける必要がない。第一軸受部材２３１が第二軸受部材に組み付けられるときに、ヒンジ支持軸２４１の端面が第二軸受部材を擦過することもない。【選択図】図１
2007247774.tif 000002
【特許請求の範囲】
【請求項１】
第一軸受部材と第二軸受部材とがヒンジ支持軸で回動自在に軸支されている構造のヒンジ装置の組み立てに利用されるヒンジ組立システムであって、
前記ヒンジ装置は、前記第一軸受部材の軸穴に前記ヒンジ支持軸が軸心方向にスライド自在に一端から挿入されており、このヒンジ支持軸が前記第一軸受部材の軸穴から他端が突出する方向に付勢機構により弾発的に付勢されており、この付勢により前記第一軸受部材の軸穴から弾発的に突出している前記ヒンジ支持軸の他端が前記第二軸受部材の軸穴に係合しており、
前記第二軸受部材が装着されていない状態の前記第一軸受部材を保持する軸受保持部材と、
保持された前記第一軸受部材から弾発的に突出している前記ヒンジ支持軸の他端を前記軸穴に圧入する圧入実行機構と、
前記ヒンジ支持軸を前記第一軸受部材に圧入された状態に維持する圧入維持治具と、
を有するヒンジ組立システム。
【請求項２】
前記圧入実行機構は、前記軸受保持部材で保持された前記第一軸受部材の軸穴の軸心方向にスライド自在に支持されているスライド圧入部材と、可動自在に支持されていて手動操作される手動操作部材と、この手動操作部材の可動に連動して前記スライド圧入部材をスライド移動させる部材連動機構と、を有する請求項１に記載のヒンジ組立システム。
【請求項３】
組立治具基材も有し、この組立治具基材に前記軸受保持部材と前記圧入実行機構とが一体に搭載されることで圧入実行治具が形成されており、
この圧入実行治具とは別体に前記圧入維持治具が形成されている請求項１または２に記載のヒンジ組立システム。
【請求項４】
前記ヒンジ装置は、前記ヒンジ支持軸の一端に軸心方向と直交する凸部が形成されており、前記軸穴に圧入された前記ヒンジ支持軸の一端の凸部が露出する開口孔が前記第一軸受部材に形成されており、
前記圧入維持治具は、前記第一軸受部材の開口孔に露出した前記ヒンジ支持軸の凸部に係脱自在に係合する係合部を有する請求項１ないし３の何れか一項に記載のヒンジ組立システム。
【請求項５】
前記圧入維持治具の係合部が前記開口孔の縁部と前記ヒンジ支持軸の凸部との間隙に係合する請求項４に記載のヒンジ組立システム。
【請求項６】
前記凸部が前記ヒンジ支持軸の一端に円環状に形成されており、
前記圧入維持治具の係合部が前記開口孔の縁部と前記ヒンジ支持軸の凸部との間隙に係合するＵ字状に形成されている請求項５に記載のヒンジ組立システム。
【請求項７】
前記圧入維持治具は、前記係合部が先端に形成されている細長形状に形成されており、少なくとも前記係合部より末端側の位置に手指で把持される把持部が形成されている請求項４ないし６の何れか一項に記載のヒンジ組立システム。
【請求項８】
請求項３に記載のヒンジ組立システムの圧入実行治具であって、
前記第二軸受部材が装着されていない状態の前記第一軸受部材を保持する軸受保持部材と、
保持された前記第一軸受部材から弾発的に突出している前記ヒンジ支持軸の他端を前記軸穴に圧入する圧入実行機構と、
前記軸受保持部材と前記圧入実行機構とが一体に搭載されている組立治具基材と、を有する圧入実行治具。
【請求項９】
請求項７に記載のヒンジ組立システムの圧入維持治具であって、
全体的に細長形状に形成されており、
前記第一軸受部材の開口孔の縁部と前記ヒンジ支持軸の凸部との間隙に係合するＵ字状の前記係合部が先端に形成されており、
末端側に手指で把持される把持部が形成されている圧入維持治具。
【請求項１０】
請求項４に記載のヒンジ組立システムを利用して組み立てられるヒンジ装置であって、
前記第一軸受部材と、前記第二軸受部材と、前記第一軸受部材と前記第二軸受部材とを回動自在に軸支しているヒンジ支持軸と、を有し、
前記第一軸受部材の軸穴に前記ヒンジ支持軸が軸心方向にスライド自在に一端から挿入されており、
このヒンジ支持軸が前記第一軸受部材の軸穴から他端が突出する方向に付勢機構により弾発的に付勢されており、
この付勢により前記第一軸受部材の軸穴から弾発的に突出している前記ヒンジ支持軸の他端が前記第二軸受部材の軸穴に係合しており、
前記ヒンジ支持軸の一端に軸心方向と直交する凸部が形成されており、
前記軸穴に圧入された前記ヒンジ支持軸の一端の凸部が露出する開口孔が前記第一軸受部材に形成されているヒンジ装置。
【請求項１１】
第一軸受部材と第二軸受部材とがヒンジ支持軸で回動自在に軸支されている構造のヒンジ装置を請求項１に記載のヒンジ組立システムを利用して組み立てる前記ヒンジ装置の組立方法であって、
前記ヒンジ支持軸の他端が前記軸穴から突出していて前記第二軸受部材が装着されていない状態の前記第一軸受部材を前記軸受保持部材に保持させる工程と、
この保持された前記第一軸受部材から弾発的に突出している前記ヒンジ支持軸の他端を前記圧入実行機構により前記軸穴に圧入する工程と、
前記ヒンジ支持軸を前記圧入維持治具により前記第一軸受部材に圧入された状態に維持する工程と、
前記ヒンジ支持軸が前記圧入維持治具により圧入状態に維持された状態のまま前記第一軸受部材を前記軸受保持部材から取り出す工程と、
前記ヒンジ支持軸が前記圧入維持治具により圧入状態に維持された状態の前記第一軸受部材に前記第二軸受部材を組み付ける工程と、
この第二軸受部材が組み付けられた前記第一軸受部材の前記ヒンジ支持軸から前記圧入維持治具を取り外すことで前記ヒンジ支持軸を前記付勢機構の付勢により前記第一軸受部材の軸穴から突出させて前記第二軸受部材の軸穴に係合させる工程と、
を有する組立方法。
【請求項１２】
第一軸受部材と第二軸受部材とがヒンジ支持軸で回動自在に軸支されている構造のヒンジ装置を請求項９に記載の圧入維持治具を利用して組み立てる前記ヒンジ装置の組立方法であって、
前記第一軸受部材から弾発的に突出している前記ヒンジ支持軸の他端を前記軸穴に圧入する工程と、
前記ヒンジ支持軸を前記圧入維持治具により前記第一軸受部材に圧入された状態に維持する工程と、
前記ヒンジ支持軸が前記圧入維持治具により圧入状態に維持された状態の前記第一軸受部材に前記第二軸受部材を組み付ける工程と、
この第二軸受部材が組み付けられた前記第一軸受部材の前記ヒンジ支持軸から前記圧入維持治具を取り外すことで前記ヒンジ支持軸を前記付勢機構の付勢により前記第一軸受部材の軸穴から突出させて前記第二軸受部材の軸穴に係合させる工程と、
を有する組立方法。
【発明の詳細な説明】
【技術分野】
【０００１】
本発明は、第一軸受部材と第二軸受部材とがヒンジ支持軸で回動自在に軸支されている構造のヒンジ装置の組み立てに利用されるヒンジ組立システムに関し、特に、第一軸受部材にヒンジ支持軸を弾発的に圧入されている構造のヒンジ装置の組み立てに利用されるヒンジ組立システムに関する。
【背景技術】
【０００２】
現在、携帯電話端末などの電気機器には、その携帯性を向上させるために第一ハウジングと第二ハウジングとを開閉自在とした製品がある。このような電気機器では、一般的に第一ハウジングと第二ハウジングとが樹脂成型により形成されている。
【０００３】
このため、上述のような電気機器では、通常は第一ハウジングと第二ハウジングとにヒンジ装置が一体に形成されている。このような電気機器である携帯電話端末の組立方法を図５および図６を参照して以下に説明する。
【０００４】
まず、ここで例示する携帯電話端末１００は、図６(ｂ)に示すように、扁平で細長いボックス状に各々形成されている第一ハウジング１１０と第二ハウジング１２０とを有する。
【０００５】
第一ハウジング１１０の上面には、ＬＣＤ(Liquid Crystal Display)等のディスプレイユニット１１１が搭載されている。第二ハウジング１２０の上面には、キーボードユニット１２１が搭載されている。
【０００６】
さらに、第一ハウジング１１０の上面前端には、スピーカユニット１１２が搭載されている。第二ハウジング１２０の上面後端には、マイクロフォン１２２が搭載されている。
【０００７】
そして、上述のような構造の第一ハウジング１１０と第二ハウジング１２０とがヒンジ装置１３０により開閉自在に軸支されている。なお、以下では説明を簡単とするため、図５に示すように、軸支の軸心方向の一方を左方、他方を右方、第一ハウジング１１０の方向を前方、第二ハウジング１２０の方向を後方、と規定して説明する。
【０００８】
より具体的には、第一ハウジング１１０の後端には、ヒンジ装置１３０の一部である第一軸受部材１３１が一体に形成されている。第二ハウジング１２０の前端には、ヒンジ装置１３０の一部である第二軸受部材１３２が一体に形成されている。
【０００９】
第一軸受部材１３１は、凸状の平面形状に形成されており、第二軸受部材１３２は、凹状の平面形状に形成されている。そして、第一軸受部材１３１は、右側の側面に係合凹部(図示せず)が形成されており、この係合凹部に伸縮支持軸１４０が軸心方向にスライド自在に一端である左端から挿入されている。
【００１０】
この伸縮支持軸１４０は、中空外筒１４１、ヒンジ支持軸１４２、付勢機構であるコイルスプリング(図示せず)、等の組立体からなる。中空外筒１４１は円筒形状に形成されている。
【００１１】
ヒンジ支持軸１４２は、中空外筒１４１の軸穴(図示せず)に一端である左端から軸心方向にスライド自在に挿入されている。コイルスプリングは、ヒンジ支持軸１４２を中空外筒１４１に対して右方に弾発的に付勢している。
【００１２】
そして、上述のような構造の伸縮支持軸１４０の中空外筒１４１が第一軸受部材１３１の係合凹部に一体に装着されている。このため、第一軸受部材１３１の右側の側面からヒンジ支持軸１４２の他端である右端が弾発的に突出している。
【００１３】
そして、この第一軸受部材１３１から突出しているヒンジ支持軸１４２の右端が、第二軸受部材１３２の軸穴(図示せず)に係合している。このため、ヒンジ支持軸１４２により、第一軸受部材１３１と第二軸受部材１３２とが回動自在に軸支されている。従って、第一ハウジング１１０と第二ハウジング１２０とが開閉自在となっている。
【００１４】
ここで、上述のような構造の携帯電話端末１００のヒンジ装置１３０の組立方法を以下に順番に説明する。まず、図５(ａ)に示すように、第一ハウジング１１０の第一軸受部材１３１の係合凹部に伸縮支持軸１４０を挿入する。
【００１５】
図５(ｂ)に示すように、これで第一ハウジング１１０の第一軸受部材１３１から伸縮支持軸１４０のヒンジ支持軸１４２が弾発的に突出した状態となる。そこで、図５(ｃ)に示すように、作業者(図示せず)は手指Ｆによりコイルスプリングの弾発力に抗してヒンジ支持軸１４２を第一軸受部材１３１に圧入する。
【００１６】
このような状態で、図６(ａ)に示すように、第一ハウジング１１０の第一軸受部材１３１を第二ハウジング１２０の第二軸受部材１３２に挿入する。この挿入により、第一軸受部材１３１に弾発的に圧入されていたヒンジ支持軸１４２の右端を、第二軸受部材１３２の軸穴の位置まで移動させる。
【００１７】
すると、ヒンジ支持軸１４２が第一軸受部材１３１から弾発的に突出して第二軸受部材１３２の軸穴に突入する。これでヒンジ支持軸１４２により第一軸受部材１３１と第二軸受部材１３２とが回動自在に軸支されるので、第一ハウジング１１０と第二ハウジング１２０とが開閉自在となる。
【００１８】
なお、ヒンジ支持軸１４２とは逆側の第一軸受部材１３１と第二軸受部材１３２との左側の部分も、例えば、円形の凸部と凹部との係合などの公知の構造により、回動自在に軸支されている(図示せず)。
【００１９】
上述のようなヒンジ装置１３０の構造および組立方法としては、各種の提案がある(例えば、特許文献１〜５参照)。
【特許文献１】実案第３１０１９１０号
【特許文献２】特開２００１−２２３４７９号
【特許文献３】特開２００１−２５８６１９号
【特許文献４】特開平０８−３３２１０６号
【特許文献５】特開平１０−２０５１９８号
【発明の開示】
【発明が解決しようとする課題】
【００２０】
上述した携帯電話端末１００では、ヒンジ支持軸１４２により第一軸受部材１３１と第二軸受部材１３２とが回動自在に軸支されることにより、第一ハウジング１１０と第二ハウジング１２０とが開閉自在となっている。
【００２１】
しかし、上述のようにヒンジ装置１３０を組み立てるときには、作業者は手指Ｆによりコイルスプリングの弾発力に抗してヒンジ支持軸１４２を第一軸受部材１３１に圧入する必要がある。このため、作業者の身体的な負担が大きく、携帯電話端末１００の量産性が低下している。
【００２２】
しかも、作業者は手指Ｆによりヒンジ支持軸１４２を圧入した状態のまま、第一軸受部材１３１を第二軸受部材１３２に挿入する必要がある。しかし、このような作業は容易ではない。このため、さらに携帯電話端末１００の量産性が低下している。
【００２３】
しかも、図６(ａ)に示すように、ヒンジ支持軸１４２が圧入された状態の第一軸受部材１３１が第二軸受部材１３２に挿入されるとき、弾発的に付勢されているヒンジ支持軸１４２の端面が第二軸受部材１３２を擦過する。このため、第二軸受部材１３２やヒンジ支持軸１４２を損傷することがあり、携帯電話端末１００の歩留りが低下している。
【課題を解決するための手段】
【００２４】
本発明のヒンジ組立システムは、第一軸受部材と第二軸受部材とがヒンジ支持軸で回動自在に軸支されている構造のヒンジ装置の組み立てに利用されるヒンジ組立システムであって、ヒンジ装置は、第一軸受部材の軸穴にヒンジ支持軸が軸心方向にスライド自在に一端から挿入されており、このヒンジ支持軸が第一軸受部材の軸穴から他端が突出する方向に付勢機構により弾発的に付勢されており、この付勢により第一軸受部材の軸穴から弾発的に突出しているヒンジ支持軸の他端が第二軸受部材の軸穴に係合しており、第二軸受部材が装着されていない状態の第一軸受部材を保持する軸受保持部材と、保持された第一軸受部材から弾発的に突出しているヒンジ支持軸の他端を軸穴に圧入する圧入実行機構と、ヒンジ支持軸を第一軸受部材に圧入された状態に維持する圧入維持治具と、を有する。
【００２５】
従って、本発明のヒンジ組立システムでは、軸受保持部材により保持された第一軸受部材に圧入実行機構によりヒンジ支持軸が圧入されるので、作業者が手指によりヒンジ支持軸を圧入する必要がなく、圧入維持治具によりヒンジ支持軸が第一軸受部材に圧入された状態に維持されるので、作業者が手指によりヒンジ支持軸を圧入した状態のまま、第一軸受部材を第二軸受部材に組み付ける必要がなく、第一軸受部材が第二軸受部材に組み付けられるときに、ヒンジ支持軸の端面が第二軸受部材を擦過することもない。
【００２６】
本発明の圧入実行治具は、本発明のヒンジ組立システムの圧入実行治具であって、第二軸受部材が装着されていない状態の第一軸受部材を保持する軸受保持部材と、保持された第一軸受部材から弾発的に突出しているヒンジ支持軸の他端を軸穴に圧入する圧入実行機構と、軸受保持部材と圧入実行機構とが一体に搭載されている組立治具基材と、を有する。
【００２７】
従って、本発明の圧入実行治具では、軸受保持部材により保持された第一軸受部材に圧入実行機構によりヒンジ支持軸が圧入されるので、作業者が手指によりヒンジ支持軸を圧入する必要がない。
【００２８】
本発明の圧入維持治具は、本発明のヒンジ組立システムの圧入維持治具であって、全体的に細長形状に形成されており、第一軸受部材の開口孔の縁部とヒンジ支持軸の凸部との間隙に係合するＵ字状の係合部が先端に形成されており、末端側に手指で把持される把持部が形成されている。
【００２９】
従って、本発明の圧入維持治具では、ヒンジ支持軸が第一軸受部材に圧入された状態に維持されるので、作業者が手指によりヒンジ支持軸を圧入した状態のまま、第一軸受部材を第二軸受部材に組み付ける必要がなく、第一軸受部材が第二軸受部材に組み付けられるときに、ヒンジ支持軸の端面が第二軸受部材を擦過することもない。
【００３０】
本発明のヒンジ装置は、本発明のヒンジ組立システムを利用して組み立てられるヒンジ装置であって、第一軸受部材と、第二軸受部材と、第一軸受部材と第二軸受部材とを回動自在に軸支しているヒンジ支持軸と、を有し、第一軸受部材の軸穴にヒンジ支持軸が軸心方向にスライド自在に一端から挿入されており、このヒンジ支持軸が第一軸受部材の軸穴から他端が突出する方向に付勢機構により弾発的に付勢されており、この付勢により第一軸受部材の軸穴から弾発的に突出しているヒンジ支持軸の他端が第二軸受部材の軸穴に係合しており、ヒンジ支持軸の一端に軸心方向と直交する凸部が形成されており、軸穴に圧入されたヒンジ支持軸の一端の凸部が露出する開口孔が第一軸受部材に形成されている。
【００３１】
従って、本発明のヒンジ装置では、軸受保持部材により保持された第一軸受部材に圧入実行機構によりヒンジ支持軸が圧入されると、そのヒンジ支持軸の一端の凸部が第一軸受部材の開口孔に露出するので、その凸部が圧入維持治具により保持されることで、ヒンジ支持軸が第一軸受部材に圧入された状態に維持される。
【００３２】
本発明の第一のヒンジ装置の組立方法は、第一軸受部材と第二軸受部材とがヒンジ支持軸で回動自在に軸支されている構造のヒンジ装置を本発明のヒンジ組立システムを利用して組み立てる組立方法であって、このヒンジ支持軸の他端が軸穴から突出していて第二軸受部材が装着されていない状態の第一軸受部材を軸受保持部材に保持させる工程と、この保持された第一軸受部材から弾発的に突出しているヒンジ支持軸の他端を圧入実行機構により軸穴に圧入する工程と、ヒンジ支持軸を圧入維持治具により第一軸受部材に圧入された状態に維持する工程と、ヒンジ支持軸が圧入維持治具により圧入状態に維持された状態のまま第一軸受部材を軸受保持部材から取り出す工程と、ヒンジ支持軸が圧入維持治具により圧入状態に維持された状態の第一軸受部材に第二軸受部材を組み付ける工程と、この第二軸受部材が組み付けられた第一軸受部材のヒンジ支持軸から圧入維持治具を取り外すことでヒンジ支持軸を付勢機構の付勢により第一軸受部材の軸穴から突出させて第二軸受部材の軸穴に係合させる工程と、を有する。
【００３３】
従って、本発明の組立方法では、軸受保持部材により保持された第一軸受部材に圧入実行機構によりヒンジ支持軸が圧入されるので、作業者が手指によりヒンジ支持軸を圧入する必要がなく、圧入維持治具によりヒンジ支持軸が第一軸受部材に圧入された状態に維持されるので、作業者が手指によりヒンジ支持軸を圧入した状態のまま、第一軸受部材を第二軸受部材に組み付ける必要がなく、第一軸受部材が第二軸受部材に組み付けられるときに、ヒンジ支持軸の端面が第二軸受部材を擦過することもない。
【００３４】
本発明の第二のヒンジ装置の組立方法は、第一軸受部材と第二軸受部材とがヒンジ支持軸で回動自在に軸支されている構造のヒンジ装置を本発明の圧入維持治具を利用して組み立てる組立方法であって、第一軸受部材から弾発的に突出しているヒンジ支持軸の他端を軸穴に圧入する工程と、ヒンジ支持軸を圧入維持治具により第一軸受部材に圧入された状態に維持する工程と、ヒンジ支持軸が圧入維持治具により圧入状態に維持された状態の第一軸受部材に第二軸受部材を組み付ける工程と、この第二軸受部材が組み付けられた第一軸受部材のヒンジ支持軸から圧入維持治具を取り外すことでヒンジ支持軸を付勢機構の付勢により第一軸受部材の軸穴から突出させて第二軸受部材の軸穴に係合させる工程と、を有する。
【００３５】
従って、本発明の組立方法では、圧入維持治具によりヒンジ支持軸が第一軸受部材に圧入された状態に維持されるので、作業者が手指によりヒンジ支持軸を圧入した状態のまま、第一軸受部材を第二軸受部材に組み付ける必要がなく、第一軸受部材が第二軸受部材に組み付けられるときに、ヒンジ支持軸の端面が第二軸受部材を擦過することもない。
【００３６】
なお、本発明で云う各種の構成要素は、必ずしも個々に独立した存在である必要はなく、複数の構成要素が一個の部材として形成されていること、１つの構成要素が複数の部材で形成されていること、ある構成要素が他の構成要素の一部であること、ある構成要素の一部と他の構成要素の一部とが重複していること、等でもよい。
【発明の効果】
【００３７】
本発明のヒンジ組立システムでは、軸受保持部材により保持された第一軸受部材に圧入実行機構によりヒンジ支持軸が圧入されることにより、作業者が手指によりヒンジ支持軸を圧入する必要がないので、作業者の身体的な負担を軽減することができ、これによりヒンジ装置の量産性を向上させることができ、圧入維持治具によりヒンジ支持軸が第一軸受部材に圧入された状態に維持されることにより、作業者が手指によりヒンジ支持軸を圧入した状態のまま、第一軸受部材を第二軸受部材に組み付ける必要がないので、第一軸受部材と第二軸受部材とを組み付ける作業が容易であり、さらにヒンジ装置の量産性を向上させることができ、第一軸受部材が第二軸受部材に組み付けられるときに、ヒンジ支持軸の端面が第二軸受部材を擦過することもないので、第二軸受部材やヒンジ支持軸を損傷することを防止でき、ヒンジ装置の歩留りを向上させることができる。
【００３８】
本発明の圧入実行治具では、軸受保持部材により保持された第一軸受部材に圧入実行機構によりヒンジ支持軸が圧入されることにより、作業者が手指によりヒンジ支持軸を圧入する必要がないので、作業者の身体的な負担を軽減することができ、これによりヒンジ装置の量産性を向上させることができる。
【００３９】
本発明の圧入維持治具では、ヒンジ支持軸が第一軸受部材に圧入された状態に維持されることにより、作業者が手指によりヒンジ支持軸を圧入した状態のまま、第一軸受部材を第二軸受部材に組み付ける必要がないので、第一軸受部材と第二軸受部材とを組み付ける作業が容易であり、さらにヒンジ装置の量産性を向上させることができ、第一軸受部材が第二軸受部材に組み付けられるときに、ヒンジ支持軸の端面が第二軸受部材を擦過することもないので、第二軸受部材やヒンジ支持軸を損傷することを防止でき、ヒンジ装置の歩留りを向上させることができる。
【００４０】
本発明のヒンジ装置では、軸受保持部材により保持された第一軸受部材に圧入実行機構によりヒンジ支持軸が圧入されると、そのヒンジ支持軸の一端の凸部が第一軸受部材の開口孔に露出することにより、その凸部が圧入維持治具により保持されることで、ヒンジ支持軸が第一軸受部材に圧入された状態に維持されるので、圧入維持治具を利用して第一軸受部材と第二軸受部材とを組み立てることが容易であり、その生産性が良好な構造を提供することができる。
【００４１】
本発明の第一のヒンジ装置の組立方法では、軸受保持部材により保持された第一軸受部材に圧入実行機構によりヒンジ支持軸が圧入されることにより、作業者が手指によりヒンジ支持軸を圧入する必要がないので、作業者の身体的な負担を軽減することができ、これによりヒンジ装置の量産性を向上させることができ、圧入維持治具によりヒンジ支持軸が第一軸受部材に圧入された状態に維持されることにより、作業者が手指によりヒンジ支持軸を圧入した状態のまま、第一軸受部材を第二軸受部材に組み付ける必要がないので、第一軸受部材と第二軸受部材とを組み付ける作業が容易であり、さらにヒンジ装置の量産性を向上させることができ、第一軸受部材が第二軸受部材に組み付けられるときに、ヒンジ支持軸の端面が第二軸受部材を擦過することもないので、第二軸受部材やヒンジ支持軸を損傷することを防止でき、ヒンジ装置の歩留りを向上させることができる。
【００４２】
本発明の第二のヒンジ装置の組立方法では、圧入維持治具によりヒンジ支持軸が第一軸受部材に圧入された状態に維持されることにより、作業者が手指によりヒンジ支持軸を圧入した状態のまま、第一軸受部材を第二軸受部材に組み付ける必要がないので、第一軸受部材と第二軸受部材とを組み付ける作業が容易であり、さらにヒンジ装置の量産性を向上させることができ、第一軸受部材が第二軸受部材に組み付けられるときに、ヒンジ支持軸の端面が第二軸受部材を擦過することもないので、第二軸受部材やヒンジ支持軸を損傷することを防止でき、ヒンジ装置の歩留りを向上させることができる。
【発明を実施するための最良の形態】
【００４３】
本発明の実施の一形態を図１ないし図４を参照して以下に説明する。ただし、本実施の形態に関して前述した一従来例と同一の部分は、同一の名称および符号を使用して詳細な説明は省略する。
【００４４】
なお、本形態でも図１に示すように、前後左右上下の方向を規定して説明するが、これは説明を簡単とするために便宜的に規定するものであり、本発明を実施する場合の製造時や使用時の方向を限定するものではない。
【００４５】
まず、本実施の形態の携帯電話端末２００も、図４(ｃ)に示すように、一従来例の携帯電話端末１００と同様に、ディスプレイユニット１１１とスピーカユニット１１２とが搭載されている第一ハウジング２１０と、キーボードユニット１２１とマイクロフォン１２２とが搭載されている第二ハウジング１２０と、を有する。
【００４６】
第一ハウジング２１０と第二ハウジング１２０とを開閉自在に軸支しているヒンジ装置２３０は、第一ハウジング２１０の後端の第一軸受部材２３１、第二ハウジング１２０の前端の第二軸受部材１３２、伸縮支持軸２４０、からなる。
【００４７】
この伸縮支持軸２４０は、中空外筒１４１、ヒンジ支持軸２４１、付勢機構であるコイルスプリング(図示せず)、等の組立体からなる。この伸縮支持軸２４０の中空外筒１４１が第一軸受部材２３１の係合凹部(図示せず)に一体に装着されている。
【００４８】
そして、上述の伸縮支持軸２４０が第一軸受部材２３１の係合凹部(図示せず)に一体に装着されている。このため、第一軸受部材２３１から弾発的に突出しているヒンジ支持軸２４１の他端である右端が、第二軸受部材１３２の軸穴(図示せず)に係合している。
【００４９】
このため、ヒンジ支持軸２４１により、第一軸受部材２３１と第二軸受部材１３２とが回動自在に軸支されており、第一ハウジング２１０と第二ハウジング１２０とが開閉自在となっている。
【００５０】
ただし、本実施の形態の携帯電話端末２００では、一従来例の携帯電話端末１００とは相違して、図３(ａ)に示すように、ヒンジ支持軸２４１の左端に軸心方向と直交する凸部２４２が円環状に形成されている。そして、第一軸受部材２３１には、圧入されたヒンジ支持軸２４１の左端の凸部２４２が露出する開口孔２３２が形成されている。
【００５１】
そして、上述のような構造の携帯電話端末２００が、本実施の形態のヒンジ組立システム３００を利用して組み立てられる。このヒンジ組立システム３００は、圧入維持治具３１０と、圧入実行治具３２０からなる。
【００５２】
より詳細には、圧入実行治具３２０は、組立治具基材３２１、軸受保持部材３２２、圧入実行機構３３０、からなる。組立治具基材３２１は、平板状に形成されており、その上面に、軸受保持部材３２２と圧入実行機構３３０とが一体に搭載されている。
【００５３】
軸受保持部材３２２は、図１に示すように、第一ハウジング２１０の平面形状と同一の凹部３２３が形成されている。このため、軸受保持部材３２２は、図１(ｂ)に示すように、その凹部３２３に挿入された第一ハウジング２１０を前後左右に移動不能に保持する。
【００５４】
圧入実行機構３３０は、図２に示すように、スライド圧入部材３３１、手動操作部材３３２、部材連動機構３３３、等で形成されている。圧入実行機構３３０は、軸受保持部材３２２で保持された第一ハウジング２１０のヒンジ支持軸２４１と対向する位置に配置されている。
【００５５】
スライド圧入部材３３１は、左右方向に細長い軸状に形成されている。スライド圧入部材３３１は、軸受保持部材３２２で保持された第一軸受部材２３１の軸穴の軸心方向である左右方向に、スライド自在に支持されている。
【００５６】
手動操作部材３３２は、左右方向に細長いレバー状に形成されている。手動操作部材３３２は、スライド圧入部材３３１の右方に、その右端が上下方向に回動するように左端で軸支されている。
【００５７】
部材連動機構３３３は、左右方向に細長いリンク状に形成されている。部材連動機構３３３の左端はスライド圧入部材３３１の右端に連結されている。部材連動機構３３３の右端は手動操作部材３３２の中程に連結されている。
【００５８】
このため、図２(ａ)(ｂ)に示すように、手動操作部材３３２が水平状態から垂直状態に回動されると、部材連動機構３３３によりスライド圧入部材３３１が左方にスライド移動する。
【００５９】
そして、図３に示すように、上述のように圧入実行機構３３０のスライド自在なスライド圧入部材３３１が、軸受保持部材３２２で保持された第一ハウジング２１０のヒンジ支持軸２４１に接離自在に対向する。このため、軸受保持部材３２２は、スライド圧入部材３３１がヒンジ支持軸２４１に当接する部分が開口されている。
【００６０】
一方、圧入維持治具３１０は、上述のような構造の圧入実行治具３２０とは別体に形成されている。圧入維持治具３１０は、図１(ａ)に示すように、細長形状に形成されている。
【００６１】
圧入維持治具３１０の先端には、係合部３１１が形成されており、末端側には手指で把持される把持部３１２が形成されている。圧入維持治具３１０の係合部３１１は、図３(ａ)(ｂ)に示すように、前述のように第一軸受部材２３１に圧入されたヒンジ支持軸２４１の凸部２４２が開口孔２３２に露出した状態で、その開口孔２３２の縁部とヒンジ支持軸２４１の凸部２４２との間隙に係合するＵ字状に形成されている。
【００６２】
上述のような構成において、本実施の形態の携帯電話端末２００のヒンジ装置２３０は、本実施の形態のヒンジ組立システム３００を利用して組み立てられる。そこで、その組立方法を以下に順番に説明する。
【００６３】
まず、図１(ａ)(ｂ)に示すように、ヒンジ支持軸２４１の他端が軸穴から突出しており、第二ハウジング１２０が装着されていない状態の第一ハウジング２１０を、作業者(図示せず)が軸受保持部材３２２に上方から挿入して保持させる。
【００６４】
このとき、圧入実行機構３３０の手動操作部材３３２は水平な初期位置に配置されている。このため、圧入実行機構３３０のスライド圧入部材３３１は右方の初期位置に配置されており、軸受保持部材３２２への第一ハウジング２１０の挿入を阻害することはない。
【００６５】
このような状態で、図２に示すように、作業者は圧入実行機構３３０の手動操作部材３３２を手動操作により上方に回動させる。すると、手動操作部材３３２に部材連動機構３３３で連結されているスライド圧入部材３３１が左方にスライド移動して第一ハウジング２１０の第一軸受部材２３１にヒンジ支持軸２４１を圧入する。
【００６６】
このような状態で、図３(ａ)に示すように、第一軸受部材２３１の開口孔２３２にヒンジ支持軸２４１の左端が露出する。そこで、作業者は圧入維持治具３１０の把持部３１２を手指で把持し(図示せず)、図３(ｂ)に示すように、その先端の係合部３１１を開口孔２３２の縁部とヒンジ支持軸２４１の凸部２４２との間隙に上方から係合させる。
【００６７】
すると、この圧入維持治具３１０の係合によりヒンジ支持軸２４１は第一軸受部材２３１に圧入された状態に維持される。そこで、作業者は圧入実行機構３３０の手動操作部材３３２を手動操作により水平な初期位置まで下方に回動させる。
【００６８】
すると、図３(ｃ)に示すように、スライド圧入部材３３１が右方にスライド移動して第一軸受部材２３１から離間する。これで第一ハウジング２１０は軸受保持部材３２２から取り出せる状態となる。
【００６９】
そこで、作業者は、図４(ａ)に示すように、ヒンジ支持軸２４１が圧入維持治具３１０により圧入状態に維持された状態のまま、第一軸受部材２３１を軸受保持部材３２２から取り出す。
【００７０】
つぎに、作業者は、図４(ｂ)に示すように、ヒンジ支持軸２４１が圧入維持治具３１０により圧入状態に維持された状態の第一軸受部材２３１に、第二軸受部材１３２を組み付ける。
【００７１】
そして、作業者は、図４(ｃ)に示すように、第二軸受部材１３２が組み付けられた第一軸受部材２３１のヒンジ支持軸２４１から圧入維持治具３１０を取り外す。これでヒンジ支持軸２４１がコイルスプリングの付勢により第一軸受部材２３１の軸穴から突出して第二軸受部材１３２の軸穴に係合する。
【００７２】
これでヒンジ支持軸２４１により第一軸受部材２３１と第二軸受部材１３２とが回動自在に軸支されるので、第一ハウジング２１０と第二ハウジング１２０とが開閉自在となる。
【００７３】
本実施の形態のヒンジ組立システム３００を利用した携帯電話端末２００のヒンジ装置２３０の組立方法では、上述のように軸受保持部材３２２により保持された第一軸受部材２３１に圧入実行機構３３０によりヒンジ支持軸２４１が圧入される。
【００７４】
このため、作業者が手指によりヒンジ支持軸２４１を圧入する必要がない。従って、作業者の身体的な負担を軽減することができ、ヒンジ装置２３０の量産性を向上させることができる。
【００７５】
特に、組立治具基材３２１に軸受保持部材３２２と圧入実行機構３３０とが一体に搭載されている。このため、軸受保持部材３２２により保持された第一ハウジング２１０の第一軸受部材２３１に、圧入実行機構３３０によりヒンジ支持軸２４１を確実に圧入することができる。
【００７６】
しかも、圧入実行機構３３０の手動操作部材３３２が細長形状に形成されており、その回動中心の近傍に部材連動機構３３３でスライド圧入部材３３１が連結されている。このため、圧入実行機構３３０の手動操作部材３３２が梃子として機能するので、きわめて良好に作業者の負担を軽減することができる。
【００７７】
さらに、圧入実行機構３３０により第一軸受部材２３１に圧入されたヒンジ支持軸２４１は、圧入維持治具３１０により圧入状態に維持される。このため、作業者が手指によりヒンジ支持軸２４１を圧入した状態のまま、第一軸受部材２３１を第二軸受部材に組み付ける必要がない。従って、第一軸受部材２３１と第二軸受部材とを組み付ける作業が容易であり、さらにヒンジ装置２３０の量産性を向上させることができる。
【００７８】
しかも、第一軸受部材２３１が第二軸受部材に組み付けられるときに、ヒンジ支持軸２４１の端面が第二軸受部材を擦過することもない。このため、第二軸受部材やヒンジ支持軸２４１を損傷することを防止でき、ヒンジ装置２３０の歩留りを向上させることができる。
【００７９】
特に、携帯電話端末２００の第一ハウジング２１０に開口孔２３２が形成されており、圧入されたヒンジ支持軸２４１の左端の凸部２４２が開口孔２３２に露出する。このため、簡単かつ確実に圧入維持治具３１０の先端の係合部３１１をヒンジ支持軸２４１の凸部２４２に係合させることができる。
【００８０】
しかも、ヒンジ支持軸２４１の凸部２４２が円環状に形成されており、圧入維持治具３１０の係合部３１１がＵ字状に形成されている。このため、第一軸受部材２３１の開口孔２３２に露出したヒンジ支持軸２４１の凸部２４２に係脱自在に圧入維持治具３１０の係合部３１１を簡単かつ確実に係合させることができる。
【００８１】
なお、本発明は本実施の形態に限定されるものではなく、その要旨を逸脱しない範囲で各種の変形を許容する。例えば、上記形態ではヒンジ装置２３０の第一軸受部材２３１と第二軸受部材１３２とが、携帯電話端末２００の第一ハウジング２１０と第二ハウジング１２０とに一体に形成されていることを例示した。
【００８２】
しかし、本実施の形態のヒンジ組立システム３００による組立方法は、単独のヒンジ装置の組立にも利用することができ、ヒンジ装置を有する各種機器の組立にも利用することができる。
【００８３】
さらに、上記形態では第一ハウジング２１０の第一軸受部材２３１にヒンジ支持軸２４１が中空外筒１４１を介して組み付けられていることを例示した。しかし、第一軸受部材にヒンジ支持軸が直接に組み付けられていてもよい。
【００８４】
また、上記形態では圧入実行機構３３０の構造を具体的に例示した。しかし、この圧入実行機構は、第一軸受部材２３１にヒンジ支持軸２４１を圧入できるならば、各種の構造とすることができる。
【００８５】
さらに、上記形態ではヒンジ支持軸２４１の一端に凸部２４２が円環状に形成されており、これに係合する圧入維持治具３１０の係合部３１１がＵ字状に形成されていることを例示した。しかし、このようなヒンジ支持軸の凸部と圧入維持治具の係合部も、ヒンジ支持軸を圧入状態に維持できるならば、各種の形状とすることができる。
【００８６】
また、上記形態ではヒンジ支持軸２４１の一端に凸部２４２が露出する開口孔２３２が第一ハウジング２１０の第一軸受部材２３１に形成されていることのみ説明した。しかし、携帯電話端末２００などの電気機器では、上述のような開口孔２３２は専用の蓋体(図示せず)などで閉止されてから出荷されることがよい。
【図面の簡単な説明】
【００８７】
【図１】本発明の実施の形態のヒンジ組立システムと第一軸受部材を有する携帯電話端末の第一ハウジングとを示す模式的な平面図である。
【図２】圧入実行治具の圧入実行機構の構造および動作を示す正面図である。
【図３】圧入実行治具により第一ハウジングの第一軸受部材にヒンジ支持軸が圧入される工程を示す模式的な平面図である。
【図４】第一ハウジングの第一軸受部材と第二ハウジングの第二軸受部材とが組み立てられる工程を示す模式的な平面図である。
【図５】一従来例の第一ハウジングの第一軸受部材にヒンジ支持軸が圧入される工程を示す模式的な平面図である。
【図６】第一ハウジングの第一軸受部材と第二ハウジングの第二軸受部材とが組み立てられる工程を示す模式的な平面図である。
【符号の説明】
【００８８】
１２０    第二ハウジング
１３２    第二軸受部材
２００    携帯電話端末
２１０    第一ハウジング
２３０    ヒンジ装置
２３１    第一軸受部材
２３２    開口孔
２４１    ヒンジ支持軸
２４２    凸部
３００    ヒンジ組立システム
３１０    圧入維持治具
３１１    係合部
３１２    把持部
３２０    圧入実行治具
３２１    組立治具基材
３２２    軸受保持部材
３３０    圧入実行機構
３３１    スライド圧入部材
３３２    手動操作部材
３３３    部材連動機構
【図１】
2007247774.tif 000003
【図２】
2007247774.tif 000004
【図３】
2007247774.tif 000005
【図４】
2007247774.tif 000006
【図５】
2007247774.tif 000007
【図６】
2007247774.tif 000008